(57)【特許請求の範囲】
【請求項１】
粉粒状の農用資材を圃場に供給する農用資材供給装置と、筒状の排出手段から空気とともに排出される前記農用資材を、袋状の回収体に回収する農用資材回収装置とを備えた水田作業機であって、
前記農用資材回収装置が、前記排出手段を前記回収体の開口部に受け入れた状態で、前記回収体の上端付近を支持する支持ロッドを備え、
前記排出手段の外周と前記開口部の間に所定量の間隙が形成されるように、前記開口部を内側から保持する保持部材が前記支持ロッドに設けられている水田作業機。
【請求項２】
前記開口部から前記回収体内に挿入された前記支持ロッドの支持部が前記開口部に隣接配置された未開口部を持ち上げ支持可能に構成されており、前記未開口部を前記支持ロッドの外周に挟着する挟着姿勢と挟着解除された解除姿勢との間で変位操作自在な固定手段が前記支持ロッドに設けられている請求項１に記載の水田作業機。
【請求項３】
前記支持ロッドは、前記農用資材供給装置の農用資材貯留部に支持された基端部と、前記回収体をその上端付近を介して支持する支持部と、前記基端部の側方外側の端部から前記支持部の側方内側の端部に向かって下向きに延出される接続部とを有する請求項１または２に記載の水田作業機。
【請求項４】
前記基端部は、農用資材を回収するべく前記支持部が水田作業機から側方に突出した回収位置と、前記支持部が引退した退避位置との間で摺動移動可能に支持されており、
前記接続部が、前記基端部の側方外側の端部から前記支持部の側方内側の端部に向かって、斜め内向きに延出されている請求項３に記載の水田作業機。
【請求項５】
予備の前記回収体を収納する収納部が、前記農用資材供給装置の農用資材貯留部の蓋部材の裏面に設けられている請求項１から４のいずれか一項に記載の水田作業機。
【請求項６】
農用資材の清掃用具を収納する収納部が、前記農用資材供給装置の農用資材貯留部の蓋部材の裏面に設けられている請求項１から５のいずれか一項に記載の水田作業機。
【発明の詳細な説明】
【技術分野】
【０００１】
本発明は、粉粒状の農用資材を圃場に供給する農用資材供給装置と、筒状の排出手段から空気とともに排出される前記農用資材を、袋状の回収体に回収する農用資材回収装置とを備えた水田作業機に関する。
【背景技術】
【０００２】
この種の水田作業機に関連する先行技術文献情報として下記に示す特許文献１がある。この特許文献１に記された水田作業機は、農用資材供給装置のホッパ（農用資材貯留部）に貯留されている肥料や種籾といった粉粒体状の農用資材を、ブロワによって形成される空気流を利用して水田などの圃場に供給する作業を終えたときに、ホッパに残留している農用資材を、農用資材回収装置によって袋状の回収体に回収することができる。この回収時には、例えば、農用資材を圃場に供給する際に用いた空気流の経路を切換弁によって変更することで、ホッパの下部と連通配置された回収管を介して回収体に回収する。
【０００３】
尚、特許文献１に記された水田作業機では、農用資材を搬送してきた空気の大半が回収体には入ることなく大気中に抜けるように、袋状の回収体の上半がメッシュ状の素材で構成されている。
【先行技術文献】
【特許文献】
【０００４】
【特許文献１】特開平８‐１３０９５１号公報（００１８−００２０段落、図８、図９）
【発明の概要】
【発明が解決しようとする課題】
【０００５】
しかし、特許文献１に記された水田作業機では、例えば袋状の回収体をメッシュ状の素材の下方部位と回収体の本体との中間部位などを介して支持しておいた場合、農用資材の回収体への回収行程の途中で、回収体の底部に堆積され始めた農用資材の重量の作用で同底部が下向きに引っ張られ、回収体がその開口部を狭めるように変形するために、農用資材の円滑な回収ができなくなる虞があった。また、農用資材の回収時には、回収される農用資材に匹敵する量の空気が回収体から追い出される必要があるが、回収体の開口部が狭められると、回収体内の空気が外に放出され難くなる点も農用資材の円滑な回収ができなくなる一因となっていた。
【０００６】
そこで、本発明の目的は、上に例示した従来技術による水田作業機が与える課題に鑑み、農用資材を回収体に回収する際に一貫して円滑な回収が可能な水田作業機を提供することにある。
【課題を解決するための手段】
【０００７】
本発明による水田作業機の特徴構成は、
粉粒状の農用資材を圃場に供給する農用資材供給装置と、筒状の排出手段から空気とともに排出される前記農用資材を、袋状の回収体に回収する農用資材回収装置とを備えた水田作業機であって、
前記農用資材回収装置が、前記排出手段を前記回収体の開口部に受け入れた状態で、前記回収体の上端付近を支持する支持ロッドを備え、
前記排出手段の外周と前記開口部の間に所定量の間隙が形成されるように、前記開口部を内側から保持する保持部材が前記支持ロッドに設けられている点にある。
【０００８】
上記の特徴構成による水田作業機では、筒状の排出手段を回収体の開口部に受け入れ、回収体の上端付近を支持ロッドによって支持させると、支持ロッドに設けられた保持部材が回収体の開口部を内側から保持し、排出手段の外周と開口部の間に所定量の間隙が形成、保持される。したがって、もしも回収体の底部が堆積され始めた農用資材の重量によって下向きに引っ張られても、保持部材の間隙保持作用によって、回収体がその開口部を閉じるような変形をする傾向が解消され、回収される農用資材に匹敵する量の空気が回収体から追い出される作用も正常に確保される。その結果、回収体が農用資材で一杯になるまで一貫して農用資材の円滑な回収が継続される。
【０００９】
本発明の他の特徴構成は、前記開口部から前記回収体内に挿入された前記支持ロッドの支持部が前記開口部に隣接配置された未開口部を持ち上げ支持可能に構成されており、前記未開口部を前記支持ロッドの外周に挟着する挟着姿勢と挟着解除された解除姿勢との間で変位操作自在な固定手段が前記支持ロッドに設けられている点にある。
【００１０】
本構成であれば、農用資材の流通にも一般的に使用されている縦長の袋の上部を切って開口部を作る際に、同上部の一部を切らずに未開口部として残すことで、農用資材を回収するための回収体とすることができ、農用資材の回収時には開口部から差し込んだ支持ロッドの支持部を未開口部の下面に差し込めば、回収体が支持ロッドの支持部に吊下げられた安定した姿勢で支持される。また、回収体を支持ロッドの支持部に支持させた状態で、支持ロッドに設けられている固定手段を挟着姿勢に揺動切り換えすることで、未開口部が固定手段によって支持ロッドの外周に挟着され、回収体を支持ロッドに対して正しい姿勢で固定することができる。
【００１１】
本発明の他の特徴構成は、前記支持ロッドは、前記農用資材供給装置の農用資材貯留部に支持された基端部と、前記回収体をその上端付近を介して支持する支持部と、前記基端部の側方外側の端部から前記支持部の側方内側の端部に向かって下向きに延出される接続部とを有する点にある。
【００１２】
本構成であれば、支持ロッドの基端部は一般的に地面に立った作業者の手元よりも高い位置に支持された状態となるが、支持ロッドの支持部は、同基端部よりも下方に配置されるので、作業者は地面に立った楽な姿勢のまま支持ロッドの支持部に対して回収体の付け外しなどを行い易い。
【００１３】
本発明の他の特徴構成は、基端部は、農用資材を回収するべく前記支持部が水田作業機から側方に突出した回収位置と、前記支持部が引退した退避位置との間で摺動移動可能に支持されており、
前記接続部が、前記基端部の側方外側の端部から前記支持部の側方内側の端部に向かって、斜め内向きに延出されている点にある。
【００１４】
すなわち、例えば接続部が真下向きに延出されている構成であれば、非回収時などに基端部を退避位置に摺動移動させても、未だ支持部の一部が水田作業機の幅から横向きに突出した状態となり易い。しかし、本構成であれば、接続部が、基端部の側方外側の端部から支持部の側方内側の端部に向かって斜め内向きに延出されているので、基端部を退避位置に摺動移動させると、支持部の全体が水田作業機の幅内に収まり易い。
【００１５】
本発明の他の特徴構成は、予備の前記回収体を収納する収納部が、前記農用資材供給装置の農用資材貯留部の蓋部材の裏面に設けられている点にある。
【００１６】
本構成であれば、農用資材貯留部の上方空間という比較的大きな既存の未活用空間を予備の回収体のための収納部として有効に用いることができる。また、本構成であれば、農用資材貯留部の蓋部材を開けるだけで、予備の回収体を簡単に収納、取り出しできるだけでなく、農用資材を圃場に供給する作業を終えたとき、農用資材回収の準備作業として、農用資材貯留部の蓋部材を開け、農用資材貯留部に残留している農用資材の量を確認し、その量に適した枚数の回収体を蓋部材の裏面に設けられている収納部から取り出すという一連の操作を円滑に行うことができ、好都合である。さらに、農用資材貯留部の蓋部材の裏面を予備の回収体の収納部としたことで、回収体が雨などで濡れ難く好都合である。
【００１７】
本発明の他の特徴構成は、農用資材の清掃用具を収納する収納部が、前記農用資材供給装置の農用資材貯留部の蓋部材の裏面に設けられている点にある。
【００１８】
本構成であれば、農用資材貯留部の上方空間という比較的大きな既存の未活用空間を予備の回収体のための収納部として有効に用いることができる。また、本構成であれば、農用資材貯留部の蓋部材を開けるだけで、農用資材の清掃用具を簡単に収納、取り出しできるだけでなく、農用資材貯留部に残留している農用資材の大半を回収した後、農用資材貯留部の蓋部材を再び開け、蓋部材の裏面から清掃用具を取り出し、農用資材貯留部の内面に付着した農用資材を清掃用具で底部に集め、それを再び回収体に回収するという一連の操作を円滑に行うことができ、好都合である。
【図面の簡単な説明】
【００１９】
【図１】田植機の全体側面図である。
【図２】田植機の全体平面図である。
【図３】施肥装置の正面図である
【図４】施肥装置の調節機構を示す側面図である。
【図５】施肥時における搬送風の流れを示す図である。
【図６】肥料回収時における搬送風の流れを示す図である。
【図７】繰出部の駆動系等を示す側面図である。
【図８】繰出部の縦断側面図である。
【図９】排出シャッターが閉じ状態での切換レバー等の操作系の側面図である。
【図１０】排出シャッターが開放状態での切換レバー等の操作系の側面図である。
【図１１】排出ダクトの内部に備えられたガイド体を示す断面図である。
【図１２】下部繰出ケースと送風ダクトとの接続部を示す断面図である。
【図１３】導風シャッターのシャッターバネ等を示す図１２のＸＩＩＩ−ＸＩＩＩ方向の断面図である。
【図１４】操作ロッド、操作バネ、連係ロッド等を示す分解斜視図である。
【図１５】切換シャッターを示す断面図である。
【図１６】農用資材回収装置（支持ロッドは退避位置）を示す後面図である。
【図１７】農用資材回収装置（支持ロッドは回収位置）を示す後面図である。
【図１８】排出部のメッシュ状排出筒及び収納ケース部を示す部分拡大図である。
【図１９】農用資材回収装置を示す斜視図である。
【図２０】農用資材回収装置の固定手段を示す斜視図である。
【図２１】貯留ホッパの蓋に設けられた収納部を示す斜視図である。
【発明を実施するための形態】
【００２０】
以下に本発明を実施するための形態について図面を参照しながら説明する。
〔田植機の全体構成〕
本発明に係る水田作業機の一例として図１及び図２に示す田植機は、機体１の運転部ステップ１８上にステアリングホイール１０等を装備した操縦部１１と運転席１２とを備え、本発明に係る施肥装置２（農用資材供給装置の一例）が運転席１２の後方に配設されている。機体１は操向操作自在な左右一対の前輪１４及び後輪１５を備えており、車体フレーム１３の前部側にエンジン１６及びミッションケース１７が配設される。
【００２１】
運転部ステップ１８の両外側には、運転部ステップ１８と連続的なステップ面をなす前部補助ステップ１９が設けられ、さらにその両外側に予備苗のせ台２２が設置される。また、前部補助ステップ１９の後方には後部が高くなる後部補助ステップ２０が配設されている。前部補助ステップ１９及び後部補助ステップ２０は、ステップ支持フレームに支持されている。
【００２２】
機体１の背面にはリフトシリンダ２１ａを備えたリンク機構２１を昇降操作自在に連結してあり、このリンク機構２１の後端側に苗植付装置３が備えられている。施肥装置２の繰出部３２から繰り出された肥料は、ホース８２を介して苗植付装置３の作溝器８１に送られ、この作溝器８１から圃場面に供給される。
【００２３】
〔苗植付装置〕
図２に示すように、苗植付装置３は８条植えに構成され、４つの植付伝動ケース８３、植付伝動ケース８３に支持される一対の回転ケース８４、夫々の回転ケース８４に備えた２つの植付爪８５、５つの接地フロート８６、及び、マット状苗が載置される苗のせ台８７夫々を備えている。各植付爪８５による苗植付け箇所の横側付近には、接地フロート８６に取付けた作溝器８１が１個ずつ配置され、その上端部にはホース８２が接続している。この構成により、植え付け作動と連係して圃場面に植え付けられた苗の近傍位置に作溝器８１が溝を形成し、この溝に肥料が供給される。
【００２４】
〔施肥装置〕
図３及び図５に示すように、施肥装置２は粒状の肥料（農用資材の一例）を貯留する４つの貯留ホッパ３１（農用資材貯留部の一例）と、各貯留ホッパ３１の下側に配置された４つの繰出部３２とを備える。貯留ホッパ３１は透明樹脂製の容器であり、支持フレーム３３に固定されている。この支持フレーム３３は丸パイプ状の横フレーム部３３ａと、横フレーム部３３ａに連結する角パイプ状で貯留ホッパ３１を支持する支持フレーム部３３ｂとを備えている。
【００２５】
貯留ホッパ３１の上部に開閉可能な蓋３１ａが設けられ、この蓋３１ａを開放することで貯留ホッパ３１内への肥料の投入が可能となる。貯留ホッパ３１は機体１の幅方向に沿った長辺を有するほぼ直方体形状であり内部が４つの貯留空間に仕切られている。これらの各貯留空間の下側に一つの繰出部３２が配設され、これら４つの貯留ホッパ３１から繰出部３２に肥料が送られる。１つの繰出部３２は、２条の苗列に肥料を供給するように２本のホース８２に対して肥料を送り出す。
【００２６】
図８に示すように、１つの繰出部３２は、貯留ホッパ３１の下方に配置された繰出ケース３４と、繰出ケース３４に内装された繰出ロール３７及びブラシ３８とを備えている。繰出ケース３４は貯留ホッパ３１の下端に支持された上部繰出ケース３５と、繰出しロール３７を間に挟むように上部繰出ケース３５の下方開口部に連設された下部繰出ケース３６とを有する。繰出ロール３７は、上部繰出ケース３５と下部繰出ケース３６の境界部に横向き姿勢の軸芯を中心にして回転自在に備えられ、ブラシ３８は毛先が繰出ロール３７の外周に接触するように配置されている。
【００２７】
貯留ホッパ３１に貯留されている肥料は自重により上部繰出ケース３５に流入する。繰出ロール３７の外周には肥料が入り込む凹部３７ａが周方向に沿って複数形成されており、この繰出ロール３７の軸芯と同軸芯に配置した繰出軸６５が図８において時計回り（矢印で示す方向）に回転することで凹部３７ａ内にある肥料が下部繰出ケース３６に送られる。このとき余分となる肥料は、ブラシ３８ですり切られるため、凹部３７ａに入り込んでいる一定量の肥料だけが繰り出される。なお、下部繰出ケース３６は透明な樹脂材料から作製されてため外部から内部を視認することができる。
【００２８】
下部繰出ケース３６の下部前方には、後述するブロア１０４から送られる圧送用空気を受け入れる送風管路３６ａが連通状に配置されている。
他方、下部繰出ケース３６の下部後方には、繰出しロール３７によって繰出された肥料を送風管路３６ａから送られた圧送用空気と共に圃場に向けて送り出す搬送管５５が連通状に配置されており、搬送管５５の突出端に前述したホース８２が連結されている。
【００２９】
また、下部繰出ケース３６の前部側には、ブロア１０４からの圧送用空気を送風管路３６ａに送り込むための筒状の送風ダクト１０１が、水田作業機の幅方向に沿って並設された４つの繰出しケース部に沿って横長姿勢で配設されており、前述した送風管路３６ａは、後述する導入部材１０８を介して、送風ダクト１０１と連通接続されている。
【００３０】
送風管路３６ａのうち下部繰出ケース３６との接続部には搬送風の流れを制限する絞り部３６ｄが形成されている。このような構成から、施肥が行われる際には、繰出ロール３７の回転により上部繰出ケース３５の肥料が下部繰出ケース３６の下部空間に送り出され、送風管路３６ａには送風ダクト１０１からの搬送風が供給される。この供給時には絞り部３６ｄが搬送風の流れを少し制限することにより複数の送風管路３６ａに対して均一した搬送風が供給される。次に、下部空間に送り出された肥料は搬送風の圧力により搬送管５５に送られ、更に、搬送風とともにホース８２から作溝器８１に搬送され作溝器８１を介して圃場面に供給される。
【００３１】
苗植付装置３は機体１に対して昇降するため、昇降に応じて柔軟に変形するコルゲート管がホース８２として用いられている。苗植付装置３のレベルに拘わらずホース８２に対して肥料を円滑に搬送するためホース８２の基端側、つまり、施肥装置２に連結する位置を高いレベルにすることが望ましい。そこで、図８などに示すように、側面視で搬送管５５の搬送方向での下流側の端部位置を高い位置に設定している。
【００３２】
具体的には、搬送管５５の搬送方向での中間位置から搬送上流側を搬送下流側ほど低くなる下り傾斜に設定し、中間位置から下流側を下流側ほど高くなる登り傾斜に設定するように、この搬送管５５を緩やかに屈曲させている。搬送管５５の内面が滑らかに成形されているため、繰出部３２の下部空間から搬送風とともに肥料が搬送管５５に送り込まれた際には、肥料は下り傾斜に沿って流れた後に登り傾斜に沿って登り、高いレベルからホース８２に供給されることになる。
【００３３】
図５、図６、図１２に示すように、１つの繰出部３２は２本の搬送管５５に対して肥料を送り出す構造であり、この２本の搬送管５５を下部繰出ケース３６に連結するため、２本の搬送管５５に連結する単一の基端部５５Ａが２本の搬送管５５と一体的に形成されている。基端部５５Ａには１本の開閉軸５６が備えられ、この開閉軸５６と一体的に作動することで対応する搬送管５５を開閉作動する２つの導風シャッター５７が開閉軸５６に備えられている。開閉軸５６に対して付勢力を作用させることで２つの搬送管５５の導風シャッター５７を同時に開放状態に設定するシャッターバネ５８が２つの搬送管５５の中間位置に備えられている。
【００３４】
下部繰出ケース３６の下部空間（繰出部３２の下部空間）から搬送管５５に肥料が搬送される領域が搬送経路であり、導風シャッター５７は搬送経路の何れの箇所に備えられても良い。従って、導風シャッター５７を下部繰出ケース３６に備えても良い。特に、導風シャッター５７を閉じ状態にした場合には送風管路３６ａに供給される搬送風を繰出部３２の下部繰出ケース３６から上部繰出ケース３５の方向に送ることが可能となる。
【００３５】
繰出部３２の送風管路３６ａと送風ダクト１０１とを接続する箇所に、導入部材１０８が取り付けられている。図８、図１２に示すように、導入部材１０８は、送風ダクト１０１内に突出する椀状の導入部１０８ａを備えている。導入部１０８ａは送風ダクト１０１の上流側に開口部を向けるように配置され、搬送風を送風ダクト１０１から送風管路３６ａに導くように構成されている。
【００３６】
図８、図１１に示すように、繰出ロール３７の外周近傍のうちブラシ３８と反対側で、貯留ホッパ３１と繰出部３２との中間位置には、田植作業が完了した時点で貯留ホッパ３１に残留している肥料を回収するための経路として排出口３５ａが設けられている。排出口３５ａには排出シャッター３９が開閉自在に備えられ、この排出シャッター３９は、横軸４０と一体的に揺動することにより開閉操作される。
図６に示すように、繰出部３２の後面側には排出ダクト１０２が横長姿勢で備えられており、各排出口３５ａはこの排出ダクト１０２に形成された筒状の接続部１０２ａと連通接続されている。
【００３７】
通常の田植作業時には、排出シャッター３９は図８の実線で示す閉じ状態に維持される。排出シャッター３９を閉じ状態に設定した状態で、この排出シャッター３９の揺動端３９ａが接触する接当部３５ｂが上部繰出ケース３５に形成され、この接当部３５ｂを基準にして、排出ダクト１０２の方向ほど排出ダクト側の底面が低レベルとなる案内底壁３５ｃが上部繰出ケース３５に形成され、これに連なる接続部１０２ａの内部には段部１０２ｂが形成されている。閉じ状態では、排出シャッター３９の揺動端３９ａが排出口３５ａの接当部３５ｂに接当する状態にあるため、肥料は排出ダクト１０２には排出されない。
【００３８】
一方、田植作業の終了後等に貯留ホッパ３１に残留している肥料を回収する場合、排出シャッター３９を図８の二点鎖線で示す開放状態に操作する。この開放状態では、貯留ホッパ３１に残留する肥料が案内底壁３５ｃから段部１０２ｂに送られると同時に、繰出部３２の下部空間から供給される搬送風の圧力により接続部１０２ａから排出ダクト１０２に送り出され、図６に示すように、排出ダクト１０２を流れる回収用の搬送風によって、排出ダクト１０２の排出部１０２ｃへと搬送されて回収袋５などに回収される。送風ダクト１０１及び排出ダクト１０２の配置や排出シャッター３９の切り換え操作については後述する。
【００３９】
〔駆動・伝達機構〕
ここで、エンジン１６の動力を繰出部３２に伝達して駆動する駆動・伝達機構について説明する。繰出部３２を操作する動力は、図１に示すミッションケース１７から後方に延出された伝動軸５１から伝達される。図３に示すように、伝動軸５１及び回転アーム５２は機体１の左右中央に配置され、左右の車体フレーム１３の間に配置されている。伝動軸５１に回転アーム５２が連結され、回転アーム５２の偏芯位置に作動ロッド５３が上方に延出するように連結されている。このような構成により、伝動軸５１とともに回転アーム５２が回転駆動した際には作動ロッド５３が上下往復運動を行い、この作動ロッド５３の上下往復運動は調節機構７０を介して駆動ロッド５９から繰出ロール３７へと伝えられる。
【００４０】
調節機構７０には、作動ロッド５３から伝えられる駆動力の作動ストロークを調節して駆動ロッド５９に伝える作動量調節手段（不図示）が内装されている。作動量調節手段は図４に示す調節ノブ７０Ａを含み、この調節ノブ７０Ａを人為的に回転操作することにより、作動量変更手段による調節量が変更され、作動ロッド５３の１作動当たりの繰出ロール３７の回転角度が変更されて肥料の繰出し量の調整が実現される。
【００４１】
図７に示すように、繰出ケース３４の後部位置には駆動軸６２が配置され、この駆動軸６２と一体回転する駆動ギヤ６３が、各繰出ケース３４の近傍に備えられている。繰出ロール３７と一体回転する繰出軸６５に備えた受動ギヤ６５Ａが繰出ケース３４の側方外部に備えられ、この受動ギヤ６５Ａと駆動ギヤ６３とが噛合されている。駆動軸６２の軸端にはワンウエイクラッチ６４が備えられ、このワンウエイクラッチ６４のアームに対して、調節機構７０の駆動ロッド５９が連結している。
【００４２】
苗植付作業が行われる際には、伝動軸５１からの駆動力が作動ロッド５３と、調節機構７０と、駆動ロッド５９とを介してワンウエイクラッチ６４に伝えられ、駆動軸６２の駆動ギヤ６３に噛合する受動ギヤ６５Ａが回転する結果、繰出軸６５と一体的に繰出ロール３７が回転し、貯留ホッパ３１の肥料が繰り出され、施肥が行われる。そして、調節機構７０の調節ノブ７０Ａを回転操作すると、駆動ロッド５９の上下方向の作動ストロークが変更されるため、作動ロッド５３の１作動あたりの繰出ロール３７の回転角度が変更され肥料の繰り出し量の変更が実現する。
【００４３】
〔ブロア・搬送手段〕
図２から図５に示すように、肥料の供給あるいは回収の際に利用される搬送風を作り出すブロア１０４が運転席１２の下後方に配設されている。このブロア１０４は、電動モータ１０４ａをファンケース１０４ｂに連結した構造を有しており、ファンケース１０４ｂに内蔵したファン１０４ｃが電動モータ１０４ａで駆動されることによりファンケース１０４ｂから送風ダクト１０１に搬送風が供給される。
【００４４】
また、図２に示すように、ブロア１０４に外気を導入する導入ダクト１０５は、導入ダクト１０５の吸気口１０５ａがエンジン１６の近傍でマフラー２５の後方に位置するように配設されている。すなわち、エンジン１６で加熱された空気やマフラー２５で加熱された空気を吸気口１０５ａから吸引し、搬送風の温度を上昇させることが可能となり、搬送風により肥料の乾燥を促進できる。
【００４５】
図３に示すように、左右一対の車体フレーム１３から上方に補助フレーム１３ａが立設され、この左右の補助フレーム１３ａの上端に対して着脱自在に備えたブラケット６７で吊り下げる形態でブロア１０４が支持されている。ブラケット６７は、水平姿勢で補助フレーム１３ａの上端に対してボルトにより着脱自在に取り付けられる支持片６７ａと、この支持片６７ａの中間位置から下方に垂下する姿勢でファンケース１０４ｂに連結する連結片６７ｂとで構成されている。したがって、例えば、メンテナンスのためにブロア１０４を取り外す場合には、ボルトの操作により補助フレーム１３ａからブラケット６７を取り外すことにより、ブロア１０４を上方に抜き出すことができる。
【００４６】
図５及び図６に示すように、送風ダクト１０１は、右側送風ダクト１０１ａと左側送風ダクト１０１ｂとを備え、これらにブロア１０４から搬送風を供給する分岐ダクト１０１ｃを備えており、これらは繰出部３２の前側（図５、図６の下側）に配設されている。図７及び図８に示すように、右側送風ダクト１０１ａ及び左側送風ダクト１０１ｂには各繰出部３２の送風管路３６ａが連結されている。
【００４７】
肥料回収用の排出ダクト１０２は、繰出部３２の後側（図５、図６の上側）に配設され、各繰出部３２の排出口３５ａと連結される。排出ダクト１０２の右端（図５、図６の左側）には、肥料を回収袋５（図６を参照）に回収するための排出部１０２ｃが設けられている。送風ダクト１０１と排出ダクト１０２とは、各ダクトの左端（図５、図６の右側）にて、平面視でコ字状の連結ダクト１０３により連通状態で連結されている。連結ダクト１０３には切換シャッター１０７が設けられ、排出ダクト１０２への搬送風の流入を許容する状態と遮断する状態との間で切り換えることができる。
【００４８】
〔施肥装置の操作機構〕
図９及び図１０に示すように、施肥装置２を、貯留ホッパ３１の肥料を搬送風とともにホース８２から圃場面に供給するための「作業位置」と、貯留ホッパ３１に残留している肥料を搬送風とともに回収するための「回収位置」とに操作自在な切換レバー２６が、繰出部３２の前部側（機体１の前側）に向けて突出する位置に備えられている。この切換レバー２６は、４つの排出シャッター３９と、８つの導風シャッター５７と、切換シャッター１０７とを連係して操作する切換操作具として機能する。
【００４９】
切換レバー２６は、切換軸２７の右端（図５、図６の左側）で、排出部１０２ｃに近接した位置に設けられているので、作業者が肥料の回収状況を確認しながら切換レバー２６の操作を行うことができる。切換軸２７には４つの切換アーム２８と、回動アーム４５（図５、図６、図１５を参照）が固定されており、切換レバー２６を操作して切換軸２７を回動させることにより、４つの排出シャッター３９と切換シャッター１０７との開閉を同時に行い、排出シャッター３９の開閉と連係して導風シャッター５７を開閉する連係が構成されている。
【００５０】
図７に示すように、切換レバー２６と支持フレーム３３との間には、この切換レバー２６を「作業位置」と「回収位置」との何れか一方にトグル式に保持するように切換レバー２６に常時付勢力を作用させるスプリング２４が設けられている。つまり、スプリング２４が切換レバー２６に係合する位置を付勢力作用点とすると、切換レバー２６が「作業位置」にある場合には、付勢力作用点は切換軸２７より上側にあり、スプリング２４の付勢力は切換レバー２６を「作業位置」に保持する力として作用する。これとは逆に、切換レバー２６を「作業位置」から「回収位置」に操作した場合には、付勢力作用点が切換軸２７の下側に切り換わるため、スプリング２４の付勢力は切換レバー２６を「回収位置」に保持する力として作用する。
【００５１】
図９、図１４に示すように、排出シャッター３９を開閉作動させる横軸４０の端部に２つのアーム部を有する切換部材７２が取付られ、この切換部材７２の一方の端部と切換アーム２８との間に付勢手段としての操作バネ７３と、操作ロッド７４とが介装されている。つまり、操作バネ７３は、一方の端部を切換部材７２に係合させ、他方の端部を切換アーム２８に係合させている。また、操作ロッド７４の一方の端部を切換部材７２に係合させ、他方の端部を切換アーム２８の長孔２８ａに係合させている。
【００５２】
また、一対の導風シャッター５７を開閉作動させる開閉軸５６の端部に開閉レバー７５が備えられ、この開閉レバー７５と切換部材７２の他方のアームとの間に連係機構としての連係ロッド７６が介装されている。この連係ロッド７６は上端側を切換部材７２に係合させ、中間部をガイド部３５ｅに挿通させ、下端部の操作端７６ａを開閉レバー７５に近接させている（図１４を参照）。ガイド部３５ｅは、Ｕ字状のロッドを上部繰出ケース３５のフランジ部３５ｆの側面に備えて形成されている。
【００５３】
特に、開閉レバー７５において連係ロッド７６が係合する部位には、アームの上方に開放しており、この開放部分には係合部７５ａが形成されている。すなわち、搬送管５５を下部繰出ケース３６から取り外す場合にも、連係ロッド７６が開閉レバー７５から分離しているのでメンテナンスを容易にできるものとなる。また、係合部７５ａは連係ロッド７６が下方に作動した際に、下端の操作端７６ａに係合することにより開閉レバー７５と連係ロッド７６との分離を阻止する。
【００５４】
このように、操作バネ７３と、操作ロッド７４と、切換アーム２８の長孔２８ａとで施肥装置２の操作機構が構成されている。この操作機構では、切換レバー２６を「作業位置」に設定した際には、操作ロッド７４の切換アーム側の端部が長孔２８ａの内部で自由に変位できる状態にあり、操作バネ７３（付勢手段）が伸長状態に達することから、この操作バネ７３の付勢力だけを切換部材７２に作用させ、横軸４０を中心にして切換部材７２を揺動させることで排出シャッター３９が閉じ状態に操作される。また、切換レバー２６を「作業位置」に設定した場合には、切換部材７２の揺動姿勢の切り換わりに伴い、連係ロッド７６が引き上げ方向に作動し、シャッターバネ５８の付勢力によって開閉レバー７５が揺動することにより、導風シャッター５７が開放状態に操作される。
【００５５】
この操作機構では、切換レバー２６を「回収位置」に設定した際には、操作バネ７３が弛緩して付勢力が切換部材７２に作用しない状態に達するとともに、操作ロッド７４の切換アーム側の端部が長孔２８ａの端部に接当し、切換レバー２６からの押し込み方向への操作力を切換部材７２に伝えることにより排出シャッター３９が開放状態に操作される。また、切換レバー２６を「回収位置」に設定した場合には、切換部材７２の揺動姿勢の切り換わりに伴い、連係ロッド７６が押し下げ方向に作動し、操作端７６ａからの押圧力によって開閉レバー７５を揺動させることにより、シャッターバネ５８の付勢力に抗して導風シャッター５７が閉鎖状態に操作される。
【００５６】
図５、図６、図１５に示すように切換軸２７は、切換ロッド４６を介して切換シャッター１０７と連係している。具体的には切換シャッター１０７のシャッター軸４７ａの軸端に操作アーム４７を備えており、切換軸２７に備えた回動アーム４５と操作アーム４７とが切換ロッド４６によって連係されている。すなわち、切換レバー２６が「作業位置」にある状態では、切換シャッター１０７が実線で示す閉じ状態に設定され、切換レバー２６が「回収位置」に操作されると、切換シャッター１０７が仮想線で示す開放状態に達する。
【００５７】
田植作業を行う際には、切換レバー２６を「作業位置」に設定維持することにより、図５及び図８（実線記載）に示すように、排出シャッター３９を閉状態に、導風シャッター５７を開状態にし、切換シャッター１０７を閉じ状態とする。これにより、ブロア１０４からの搬送風は、右側送風ダクト１０１ａ及び左側送風ダクト１０１ｂに送られるが、排出ダクト１０２への供給は切換シャッター１０７により遮断されている。このため、搬送風は送風ダクト１０１から繰出部３２の下部に送られ、この繰出部３２から繰り出される肥料の圃場面への供給を実現する。
【００５８】
他方、田植作業が終了し、貯留ホッパ３１の肥料を回収する際には、切換レバー２６を「回収位置」に設定維持して、図８において二点鎖線で示すように、排出シャッター３９を開放状態に、導風シャッター５７を閉じ状態にし、切換シャッター１０７を開放状態とする。これにより、ブロア１０４からの搬送風は繰出部３２の下部から繰出部３２の繰出ロール３７の方向に送られると同時に、連結ダクト１０３を経て排出ダクト１０２に送られる。また、排出シャッター３９が開いているので、繰出ロール３７とブラシ３８との間を通過した空気の流れと、その自重とにより肥料は繰出部３２から排出ダクト１０２に排出される。その結果、排出ダクト１０２に排出された肥料が、搬送風によって排出部１０２ｃへと運ばれ、肥料回収を行うことができる。
【００５９】
図１１に示すように、上部繰出ケース３５に接続する接続部１０２ａの開口部位を排出ダクト１０２の内部側に少し突出させ、この部位の搬送風の流れを高速化することにより、この排出ダクト１０２の負圧が高まり、吸引が良好に行われる。
また、上部繰出ケース３５と接続している接続部１０２ａに、平面視で三角形状の突起部１０２ｄを形成している。この突起部１０２ｄは、搬送風の流れの方向で下流側となる接続部１０２ａの側面に形成され、搬送風が上部繰出ケース３５に流れ込むことや、接続部１０２ａで搬送風が拡散して渦を作る不都合を抑制する。
【００６０】
更に、複数の接続部１０２ａのうち連結ダクト１０３に最も近い部位では、連結ダクト１０３から排出ダクト１０２に搬送風が送られる際に流れが９０度変更されるため、空気の流れが乱れる現象を招くものである。このような理由から、複数の接続部１０２ａのうち空気の流れの上流側（連結ダクト１０３の側）には、搬送風を接続部１０２ａへ案内することにより、この接続部１０２ａの方向への搬送風の流入を抑制するガイド体１１０を備えている。これにより、接続部１０２ａから肥料の排出を良好に行わせ、搬送風の流れにより搬送できるようにしている。
【００６１】
〔肥料回収装置の構造〕
図３、図１６及び図１７に示すように、排出ダクト１０２の排出部１０２ｃの付近には、排出部１０２ｃから空気とともに排出される肥料を袋状の回収体に回収する農用資材回収装置１００が配置されている。
図１７に示すように、排出部１０２ｃは、排出ダクト１０２の右端を斜め下向きに屈曲させることにより肥料の排出方向を下向きに設定してあり、農用資材回収装置１００は、排出部１０２ｃの先端から延出される柔軟なメッシュ状排出筒１１１（排出手段の一例）と、メッシュ状排出筒１１１から排出される肥料が回収袋５（回収体の一例）に入るように回収袋５を支持する概して横長の支持ロッド９０とを備える。
【００６２】
回収袋５は、例えば肥料の流通に用いられている縦長の袋を利用したもので、上辺部を一端から中央に向かって切り取ることで開口部５ａを設け、同中央付近から上辺部の他端までは故意に切り取らずに未開口部５ｂとして残されている。
回収袋５を支持ロッド９０で支持させる際には、後述する支持ロッド９０の支持部９０ｃを開口部５ａから回収袋５内に挿入し、この未開口部５ｂを下から持ち上げた形態で、言い換えれば、回収袋５が未開口部５ｂによって支持部９０ｃに吊り下げられる形態で、回収袋５を支持させることになる。
【００６３】
尚、排出部１０２ｃの先端付近には、メッシュ状排出筒１１１を収納するための収納ケース部１４が形成されている。収納ケース部１４は、先端に向かって次第に拡径された概して漏斗状のケース本体１４ａと、ケース本体１４ａの開口面を閉じる蓋部材１４ｂとを有する。ケース本体１４ａの内側の基端部には短い補助筒１１２が装着されており、メッシュ状排出筒１１１の基端部は、環状またはベルト状などの締結手段によって、この補助筒１１２の外周に外嵌状に装着されている。
【００６４】
図１８（ａ）に例示するように、メッシュ状排出筒１１１は、使用しない時には小さくロール状などに畳み込んだ状態で収納ケース部１４内に収納しておくことができ、図１８（ｂ）に例示するように、肥料の回収時など必要なときに適宜、蓋部材１４ｂを開けてメッシュ状排出筒１１１を引き出し、図１９に示すように、支持ロッド９０の支持部９０ｃに吊り下げられた回収袋５の開口部５ａ内にメッシュ状排出筒１１１の先端を装着させればよい。
【００６５】
このように、排出手段としてメッシュ状排出筒１１１を用いるので、保持部材１２０によってメッシュ状排出筒１１１と回収袋５の開口部５ａとの間に間隙が確保されるだけでなく、メッシュ状排出筒１１１のメッシュ状の壁面自身を通して搬送用の空気が大気中に排出されるので、さらに円滑な肥料の回収が確保される。
【００６６】
〔支持ロッドの構成〕
図１６、図１７に示すように、支持ロッド９０は、貯留ホッパ３１の右端付近に略水平に支持された基端部９０ａと、回収袋５の未開口部５ｂを支持する支持部９０ｃと、基端部９０ａの側方外側の端部と支持部９０ｃの側方内側の端部とを接続する接続部９０ｂとを有する。より詳細には、接続部９０ｂは、基端部９０ａの外側端部から支持部９０ｃの内側端部に向かって、斜め内向きに延出されており、その結果、後方から見ると支持ロッド９０は概してＺ字状を呈している。
【００６７】
支持ロッド９０の基端部９０ａは、最も右寄りに配置された貯留ホッパ３１の後方に突出配置された２つのステー９１に支持されている（図４も参照のこと）。より具体的には、繰出部３２を支持する支持フレーム３３の支持フレーム部３３ｂから後方に突出するように２つのステー９１が固設され、各ステー９１に穿設された貫通孔に対して支持ロッド９０の基端部９０ａが挿通されている。
【００６８】
基端部９０ａは、支持部９０ｃよりも十分に長く、ステー９１に対して左右に摺動移動可能に設けられている。したがって、支持ロッド９０を、図１６に示すように支持部９０ｃが水田作業機の幅内に引退した退避位置と、図１７に示すように、肥料を排出部１０２ｃから回収袋５に回収するべく支持部９０ｃが水田作業機から側方に突出した回収位置との間で手動によって切り換えることができる。
【００６９】
尚、基端部９０ａの外周面の１箇所にはステー９１の側面と当接可能な一つの規制突起９０ｐが形成されている。規制突起９０ｐは左右２つのステー９１の間に挟まれる領域に配置されており、支持ロッド９０が退避位置に配置されたときは、左側のステー９１の側面と接当することで、図１６に示す退避位置よりも左側に移動することを規制し、支持ロッド９０が回収位置に配置されたときは、右側のステー９１の側面と接当することで、支持ロッド９０が図１７に示す回収位置よりも右側に突出することを規制する。
【００７０】
〔保持部材の構成〕
図１９に示すように、支持ロッド９０の支持部９０ｃには、回収袋５の開口部５ａを内側から保持するコ字状の保持部材１２０が設けられている。保持部材１２０は、前後方向に延びる中央部１２０ａと、中央部１２０ａの両端から田植機の幅方向の内側に向かって平行に延びる一対のアーム部１２０ｂ，１２０ｃとを有する。
【００７１】
アーム部１２０ｂ，１２０ｃの先端にはゴム製などの保護キャップ１２０ｄが取り付けられている。保護キャップ１２０ｄは、金属製のアーム部１２０ｂ，１２０ｃの先端が回収袋５を損傷させ難くするのと同時に、回収袋５を支持部９０ｃに吊り下げたとき、開口部５ａが肥料の重量でずり下がるのを、回収袋５の内面との摩擦に基づいて防止する役目をも果たす。
【００７２】
保持部材１２０は、その中央部１２０ａを支持部９０ｃの下面に溶接することで支持ロッド９０に取り付けられているが、保持部材１２０の全体が支持部９０ｃに対して田植機の前寄りに配置されるように、中央部１２０ａの前後中央部ではなく後端付近が支持部９０ｃの下面に溶接されている。
【００７３】
また、前寄りのアーム部１２０ｃの一部からは、後寄りのアーム部１２０ｂに向かって補助アーム１２１が延設されている。補助アーム１２１は中央部１２０ａから田植機の幅方向の内向きに離間した位置で、概して中央部１２０ａと平行に、支持ロッド９０の支持部９０ｃの手前の位置まで延びている。
【００７４】
肥料の回収を行う際は、未開口部５ｂが右側に位置する姿勢で回収袋５を持ち、支持部９０ｃの先端を回収袋５の開口部５ａに受け入れ、次に保持部材１２０の全体が開口部５ａに収まり、且つ、支持部９０ｃの先端が未開口部５ｂの内側に来るように回収袋５の位置を田植機の幅方向の内側に向かって調整する。
【００７５】
これで、回収袋５は、未開口部５ｂを介して支持部９０ｃの先端に吊り下げられ、且つ、開口部５ａが保持部材１２０によって径方向内側から保持された状態になる。このとき、メッシュ状排出筒１１１と保持部材１２０との位置関係から自然に、メッシュ状排出筒１１１は、保持部材１２０の一対のアーム部１２０ｂ，１２０ｃの間、特に前寄りのアーム部１２０ｃに近接するように、且つ、補助アーム１２１の内側に配置される。
【００７６】
尚、支持ロッド９０の全体が排出ダクト１０２の後方側に隣接しているために、メッシュ状排出筒１１１は支持ロッド９０の支持部９０ｃよりも前寄りに位置するが、前述したように、保持部材１２０は支持部９０ｃに対して田植機の前寄りに配置されているので、支持部９０ｃの先端に吊り下げられた回収袋５の開口部５ａの大半が支持部９０ｃよりも前寄りに配置されることになり、メッシュ状排出筒１１１から横向きで斜め下向きに排出される肥料を回収袋５に確実に回収できる。
【００７７】
また、メッシュ状排出筒１１１の外形は円形または楕円形であるのに対して、保持部材１２０の実質的な内面形状は概して矩形を呈しているので、特に保持部材１２０の４つのコーナー付近にはメッシュ状排出筒１１１の外周に隣接する間隙が形成され、その結果、肥料回収の全期間を通じて、メッシュ状排出筒１１１と回収袋５の開口部５ａとの間にも十分な間隙が形成、保持されることになる。
尚、保持部材１２０は、閉じられた矩形ではなく、田植機の幅方向内側に開放されたコ字状としてあるので、円筒状のメッシュ状排出筒１１１に限らず、互いに先端形状の異なる複数種類の排出管を保持部材１２０の内部にフレキシブルに受け入れることができる。
【００７８】
このように、回収袋５の開口部５ａの周囲に所定量の間隙が確保されているので、肥料の回収に際して、肥料と共にメッシュ状排出筒１１１から排出される搬送用の空気の大半が同間隙から容易に外気へと流れ出し易い。その結果、搬送用の空気が回収袋５の内部で勢い良く旋回して肥料の微粉を回収袋５の外に噴き出させるなどの現象が生じ難い。また、回収開始後に肥料の重みによって回収袋５が変形し、回収袋５の開口部５ａが閉じられたり、メッシュ状排出筒１１１の先端の開口部に密着して肥料の排出を阻害したりする虞が少ない。
【００７９】
さらに、メッシュ状排出筒１１１の保持部材１２０内での位置は補助アーム１２１との接当によって制限されているため、補助アーム１２１と中央部１２０ａとで挟まれ、メッシュ状排出筒１１１や回収袋５の上縁部によって塞がれ難い矩形の空間も、搬送用の空気を迅速に外気へと流れ出させることを助けている。
【００８０】
〔固定手段の構成〕
支持ロッド９０の支持部９０ｃには、回収袋５の未開口部５ｂを支持部９０ｃの外周に挟着するための固定手段１２５が設けられている。図２０に示すように、固定手段１２５は、１本の鋼線などを曲げ加工して作られており、同鋼線の中心部を円形に加工して得られたハンドル部１２５ａと、ハンドル部１２５ａの両端に設けた第１近接部１２６ａから一旦左右に広がり、再び近接するように円形に加工して得られた挟着部１２５ｂと、挟着部１２５ｂの両端に設けた第２近接部１２６ｂから左右に直線状に延びた第１直線部１２５ｃと、第１直線部１２５ｃの両端からハンドル部１２５ａ及び挟着部１２５ｂの作る平面に対して直角に延びた第２直線部１２５ｄと、第２直線部１２５ｄの両端から内側に延出された第３直線部１２５ｅを有する。
【００８１】
第３直線部１２５ｅの先端は、保持部材１２０に近接した位置で、支持部９０ｃの前後側面に形成された一対の貫通孔に挿通されている。円形の挟着部１２５ｂは外力から解放された状態で支持部９０ｃの外径を下回る内径を備えている。
固定手段１２５は、挟着部１２５ｂが支持部９０ｃの外周面に外嵌された作用位置と、挟着部１２５ｂ及び第２近接部１２６ｂが支持部９０ｃの上方に配置された解除位置との間で、第３直線部１２５ｅを中心に揺動操作することができる。解除位置から作用位置への切り換えは、ハンドル部１２５ａを指で移動させることで実現できるが、この切り換え時には、ハンドル部１２５ａの持つ弾性に基づいて、第２近接部１２６ｂが支持部９０ｃの外周面に沿って滑り降りながら広げられる。
【００８２】
回収袋５を支持部９０ｃに吊り下げる際は、事前に固定手段１２５を解除位置にしておき、支持部９０ｃが回収袋５の未開口部５ｂの下面に挿通され、開口部５ａが保持部材１２０に保持された状態で、固定手段１２５を作用位置に切り換えれば、回収袋５の開口部５ａの左右一対の上縁部が支持部９０ｃと挟着部１２５ｂの間に挟着される。
【００８３】
尚、固定手段１２５は支持ロッド９０のストッパとして支持ロッド９０の基端部９０ａの一部にも取り付けられている。この第２の固定手段１２５の第３直線部１２５ｅは、支持ロッド９０が退避位置にあるときに、外側のステー９１よりも外側に隣接配置された貫通孔に挿通されている。
【００８４】
支持ロッド９０が退避位置にあるときに、固定手段１２５を作用位置に切り換えれば、ステー９１が、基端部９０ａに係止された挟着部１２５ｂと貫通孔に挿通された第３直線部１２５ｅの間に挟まれる状態となり、支持ロッド９０が回収位置に向かう伸張も含めて不用意に横向きに移動することが抑制される。
【００８５】
支持ロッド９０の基端部９０ａと右側のステー９１との間には、支持ロッド９０が基端部９０ａの軸心回りで回転することを規制する規制機構が設けられている。この規制機構は、図１９に示すように、基端部９０ａの右端付近から前方向きに突出配置された板状の規制片９０ｓと、右側のステー９１の一部に形成された規制凹部９１ｔとからなる。
支持ロッド９０をその接続部９０ｂが正確に上下に延びた姿勢のまま回収位置から退避位置に移動させると、規制片９０ｓが右側のステー９１の規制凹部９１ｔに係止され、退避位置における支持ロッド９０の軸心回りでの不用意な回転が規制される。
【００８６】
〔収納部の構成〕
貯留ホッパ３１のホッパ蓋３１ａ（蓋部材の一例）の裏面には、予備の数枚の回収袋５、及び、貯留ホッパ３１の内面などに付着している肥料を掃き落とすためなどに使われる清掃用ブラシ１２８（清掃用具の一例）を収納する収納部が設けられている。
この収納部は、ホッパ蓋３１ａの裏面に互いに左右に離間するように配置された一対のクリップ部材１３０によって構成されている。クリップ部材１３０は、ホッパ蓋３１ａの裏面にネジなどで固定された基端部１３０ａと、基端部１３０ａの先端から延設された中間部１３０ｂと、中間部１３０ｂの先端から延設された挟着部１３０ｃとを一体的に備えている。
【００８７】
クリップ部材１３０は、基端部１３０ａがホッパ蓋３１ａのヒンジ側に位置し、挟着部１３０ｃがホッパ蓋３１ａの反ヒンジ側寄りに位置するように取り付けられ、基端部１３０ａと中間部１３０ｂを接続する部位は、中間部１３０ｂがホッパ蓋３１ａの裏面から離間するように湾曲しており、挟着部１３０ｃは中間部１３０ｂによってホッパ蓋３１ａの裏面に弾性的に押付けられている。
【００８８】
挟着部１３０ｃの先端もまたホッパ蓋３１ａの裏面から離間するように湾曲しているため、ホッパ蓋３１ａを開放した状態で、予備の回収袋５を挟着部１３０ｃとホッパ蓋３１ａの裏面との間に押し込むだけで、予備の回収袋５はホッパ蓋３１ａの裏面に挟着・保持される。
【００８９】
また、基端部１３０ａの一部には、清掃用ブラシ１２８を着脱自在に収納するための補助クリップ部１３２が一体的に形成されている。補助クリップ部１３２は、基端部１３０ａの面から互いに前後方向で対向するように立設された一対の矩形の脚部１３２ａと、各脚部１３２ａの先端から内側に向かって突出した爪部１３２ｂとを備えている。清掃用ブラシ１２８を横向きに持って一対の脚部１３２ａに押付けることで、清掃用ブラシ１２８が一対の脚部１３２ａの間に挟着・保持される。
【００９０】
肥料の代わりに種籾（農用資材の一例）を貯留ホッパ３１に貯留することで施肥装置２を直播用の装置として用いることが可能であり、この場合も、直播を完了してから貯留ホッパ３１に残留した種籾を回収するための装置として、本発明による農用資材回収装置を用いることができる。
【産業上の利用可能性】
【００９１】
本発明は、肥料や種籾など粉粒状の農用資材を圧送用空気と共に圃場に向けて送り出すべく水田作業機に設置される農用資材回収装置を、農用資材の回収がより円滑に行われ易い構成に改良する技術として利用可能な発明である。
【符号の説明】
【００９２】
２        施肥装置（農用資材供給装置）
５        回収袋（回収体）
５ａ      開口部
５ｂ      未開口部
８２      ホース
９０      支持ロッド
９０ａ    基端部
９０ｂ    接続部
９０ｃ    支持部
９１      ステー
１００    農用資材回収装置
１０１    送風ダクト
１０２    排出ダクト
１０２ｃ  排出部
１０４    ブロア
１１１    メッシュ状排出筒（排出手段）
１２０    保持部材
１２５    固定手段
１２８    清掃用ブラシ（清掃用具）
１３０    クリップ部材（収納部）
１３２    補助クリップ部（収納部）
３１      貯留ホッパ（農用資材貯留部）
３１ａ    ホッパ蓋（蓋部材）
【図１】
0005596640.tif 000002
【図２】
0005596640.tif 000003
【図３】
0005596640.tif 000004
【図４】
0005596640.tif 000005
【図５】
0005596640.tif 000006
【図６】
0005596640.tif 000007
【図７】
0005596640.tif 000008
【図８】
0005596640.tif 000009
【図９】
0005596640.tif 000010
【図１０】
0005596640.tif 000011
【図１１】
0005596640.tif 000012
【図１２】
0005596640.tif 000013
【図１３】
0005596640.tif 000014
【図１４】
0005596640.tif 000015
【図１５】
0005596640.tif 000016
【図１６】
0005596640.tif 000017
【図１７】
0005596640.tif 000018
【図１８】
0005596640.tif 000019
【図１９】
0005596640.tif 000020
【図２０】
0005596640.tif 000021
【図２１】
0005596640.tif 000022